(57)【要約】本発明は支持脚（４）と、座台（３）と、背とを備えたリクライニング椅子に関する。前記座台および背は、重心を維持するために、支持脚に対して傾動させることができる。本発明の椅子はまた、各々に細長い穴（１１、１２）を備えた平行な面（７、８）を含む第一本体（５）と、各々に細長い穴（１３、１４）を備えた平行な面（９、１０）を含む第二本体（６）と、軸のような各対の細長い穴間の接続手段とから成る組立体をも含む。任意選択的に、前記組立体は、ラックピニオンユニットを備えることができる。椅子は高さ調整可能な足載せ台、高さ調整可能な肘掛け、および作業用表面または作業用天板を含むことが好ましい。本発明は、腰掛け用家具の製作物に使用するのに適している。
2005527258.tif 000002
【特許請求の範囲】
【請求項１】
高さ調整可能または不能のいずれかの支持脚と、座台と、背もたれと、くつろげる位置を取るための傾動手段とを備えたリクライニング肘掛け椅子において、相互に平行な二つの側面（７、８）を持つ脚（４）に接合された第一本体（５）であって、前記平行な側面（７、８）の各々がそれに少なくとも二つの細長い穴（１１、１２）を有し、二つの軸（１５、１６）により横断されたこれらの細長い穴（１１、１２）が相互に平行でない第一本体と、同じく二つの相互に平行かつ前記第一本体の前記平行な側面（７、８）に対し平行な側面（９、１０）を持ち、肘掛け椅子（１）の座（３）および背もたれ（２）に接合された第二本体（６）であって、前記第二本体の前記平行な側面（９、１０）の各々が相互に平行でない少なくとも二つの細長い穴（１３，１４）を有する第二本体と、細長い穴の各対を横断する軸とを有しており、人が中心位置に載った状態で座部の重心を維持するために、前記台に関する座部の関節運動が同時に前記台の幾何学的中心の移動をもたらすようにしたことを特徴とするリクライニング肘掛け椅子。
【請求項２】
少なくとも一対を成す細長い穴（１１、１３または１２、１４）に軸（１５または１６）に関連するラック（１８、１９）を装着し、かつ前記軸（１６）に確実に接合されかつ前記ラック（１８，１９）に係合されたピニオン（１７）によってもう一つのラック（１９、１８）を嵌着して、前記ピニオン（１７）を装着した前記軸（１６）の位置、前記細長い穴の相互の移動および回転の相対位置、およびしたがって前記脚（４）に対する前記座部（３）の位置を決定することを特徴とする、請求項１に記載のリクライニング肘掛け椅子。
【請求項３】
二対の細長い穴に対応するラックを装着し、対応するピニオンを装着された軸によって前記二対の細長い穴を連結することを特徴とする、請求項１および２に記載のリクライニング肘掛け椅子。
【請求項４】
確実に接合された高さ調整可能または不可能な足載せ台を持つことを特徴とする、請求項１に記載のリクライニング肘掛け椅子。
【請求項５】
高さ調整可能な肘掛けを持つことを特徴とする、請求項１に記載のリクライニング肘掛け椅子。
【請求項６】
前記肘掛けの間にコンピュータアクセサリのような仕事用または余暇用物品のための支持トレイを持つことを特徴とする、請求項１または５に記載のリクライニング肘掛け椅子。
【請求項７】
前記仕事用または余暇用物品のための支持トレイが滑り止め固定手段、および／または傾斜位置にあるときに物体が落下するのを防止するための縁を装備することを特徴とする、請求項６に記載のリクライニング肘掛け椅子。
【請求項８】
前記支持トレイが側方関節によって、または単にそれを取り外すことによって移動可能であることを特徴とする、請求項６または７に記載のリクライニング肘掛け椅子。
【請求項９】
リクライニング運動を操作するためのレバーを持つことを特徴とする、請求項１または２に記載のリクライニング肘掛け椅子。
【請求項１０】
前記運動が電機モーターによって動力を供給されることを特徴とする、請求項１または２に記載のリクライニング肘掛け椅子。
【請求項１１】
前記運動軸（１５、１６）が、それらを連結する少なくとも一つのロッドまたは軸によって一定距離に維持されることを特徴とする、請求項１または２に記載のリクライニング肘掛け椅子。
【発明の詳細な説明】
【技術分野】
【０００１】
本発明は、単純な構造、高い強度、容易な使用を結合し、かつ個々の使用者に適合するように調整可能である、職場用または家庭用に使用されるリクライニング椅子から成る。
【背景技術】
【０００２】
いずれの場合も３０／３５°以上で、肘掛け椅子が最大限の快適性をもたらすだけでなく、使用者の身体が適切な位置に配置されるように、傾動によるリクライニングの程度が満足できることを示すことが望まれる。
【０００３】
この目的を考慮に入れて、肘掛け椅子は、各人の快適性が肘掛け椅子が取る位置に関係しないように、ヘッドレストおよび肘掛けを持ち、かつ好ましくはコンピュータキーボード、マウス、またはラップトップコンピュータのような物品用の物体担持トレーを持つことが望ましい。
【０００４】
上記の事項に加えて、製品が市場で競争力を持つためには、この理由で構造強度を失うことなく、手頃な価格にしなければならない。
【発明の開示】
【発明が解決しようとする課題】
【０００５】
周知の型のリクライニング肘掛け椅子は脚を有し、その前端に連接され前方に延在する部分がその上にあり、前記連接が解除されたときに座部が関節軸上で傾くようになっている。この型の構造には主に二つの欠点がある。第一に、支持脚に対して大きいモーメントが形成され、それは構造に大きい強度を与えなければならないことを意味し、それは肘掛け椅子の生産コストおよび重量に対し負の効果を持つ。第二に、前記連接品目を部分的に座の下に隠す必要があり、かつ、通常車輪が装着される脚上に支持しなければならないので、傾斜角度がかなり制限される。別の弱点は、重心が大きく変更されないことである。つまり、連接手段および支持脚によって働く力が、望ましいものより大きいことを意味する。
【課題を解決するための手段】
【０００６】
今から提示する本発明の目的は、座台の中心をその傾動に比例して変位させて、人が着座した椅子の重心の位置を維持し、より経済的な製造を可能し、その構造強度を維持または改善し、かつ事前設定位置を持たず、可能な傾動の程度に関してより多様性に富むことによって、上述した欠点を克服するリクライニング肘掛け椅子である。
【０００７】
さらなる利点として、それは調整可能な足載せ台、および例えばキーボード、マウス、またはポータブルコンピュータのようなコンピュータ装置を保持するためのトレイを支持する手段を有する。
【発明を実施するための最良の形態】
【０００８】
以下の説明を図解するために、本発明の本質を五つの図に表わした五枚の図面を本書に添付する。
【０００９】
これらの図で、１は、背もたれ２および座台３を備えた、本発明が対象とする肘掛け椅子を表わす。座部の台板に対する背もたれの台板の好適な角度は１００°である。
【００１０】
４は、例えばホイールが装備される基台より上の肘掛け椅子用の支持脚を示す。支持脚は、最新技術ですでに公知である弾性および／または空気圧システム、あるいは他のいずれかの機械的媒体のような、高さ調整手段を持つことが望ましい。いずれの場合も、それらは本発明の範囲外である。
【００１１】
肘掛け椅子１の支持脚４は、肘掛け椅子１の基台に固定された第二本体６に対して可動である第一本体５に接合される。第一本体５および第二本体６は両方とも、少なくとも一対の細長い穴１１および１２ならびに１３および１４それぞれを各々に備えた、少なくとも二つの外側面７および８ならびに９および１０それぞれを有する。これらの細長い穴は二つの軸１５および１６により横断されている。この時点で、軸は機構の両側で機械的に共通とするか、あるいは単一の幾何学的軸を構成する二つの別個の機械的軸から形成することができるので、たとえ二つの部分に分割することができる場合でも、両方の機械的軸を単一の軸と呼ぶことを明記しておかなければならない。これらの軸の少なくとも一つ１５または１６は、片側を細長い穴の一つ１１または１２に接合されたラック１８と係合し、反対側を細長い穴１３または１４に接続された別のラック１９と係合するピニオン１７を装着する。
【００１２】
次いで肘掛け椅子本体１は非傾斜端位置から傾斜位置に変位することができ、それに伴って、項目１、２、３、６、９、１０、１３、１４の組の運動、および特にラック１８の運動を生じ、それはピニオン１７の対応する運動を引き起こし、それによりそれは、基台に固定された要素４、５、７、８、１１、１２、１９の組に対する反対側のラック１９の効果によって画定された正確な位置に着く。
【００１３】
細長い穴１１、１２、１３、１４の集合により、機構の他の全ての自由度がこの位置によって制約されるので、摺動運動は今度は回転を引き起こす。摺動は、決して平行にならない細長い穴１１および１３または１２および１４の決定された位置における軸の位置によって制限され、回転は、各対の細長い穴１１および１３または１２および１４に一つづつある、軸１５および１６の対自体の存在によって制限される。
【００１４】
動作の平滑性および精度のために、細長い穴１１および１３ならびに１２および１４の両方の対にそれら自体のラックアセンブリ１７、１８および１９を設けることが有用であることが分かるが、椅子に単一のラックを組み込み、他方の軸１５または１６は自由にしておくことも可能である。
【００１５】
今提案する椅子１は任意選択的に、どんな使用者にも適応できるようにするために、適切な高さ調整手段を装備した足載せ台２０を持つこともできる。
【００１６】
人々の身長がいつも同じではないことを考えると、肘掛けに高さ調節を設けることも推奨でき、本発明の意図するところである。
【００１７】
別の任意選択的な特徴は、肘掛け椅子１の肘掛けの間にセットされた、例えば片側に傾く支持トレイまたは作業用表面を設けることである。その上に、コンピュータアクセサリ（キーボード、マウス、ラップトップコンピュータ、または本もしくはゲーム）のような仕事用または余暇用物品を載せることができる。そのような物品が落下するのを防止するために、このトレイは、物品が落下するのを防止するためのリム付きの固定手段または収容手段を装備するように意図される。この実施例は明らかに制限がない。
【００１８】
実施形態の一態様では、ピニオンが適切なリダクションによってラックに対して移動するように、座部の側面の一方にセットされたレバーを動かすことによって、座部は傾く。
【００１９】
より高機能の実施形態では、運動は電気モーターによって駆動することができる。
【００２０】
ラック間の相対的変位を軸の一つ１５または１６のみによって行なうことが予想された。この場合、第二の軸は、少なくとも一つの分離ロッドまたは軸によって、第一の軸に対し適切な距離にとどまる。
【００２１】
これは腰掛けの製品における産業上の利用に関する。
【図面の簡単な説明】
【００２２】
【図１】図面を明瞭にするために支持体を取り外した本発明の肘掛け椅子を底から見た図。
【図２】内部の機構を示すために座台を切り欠いた本発明の肘掛け椅子の側面図。
【図３】切欠き内に機構の位置が見える、わずかに傾いた位置にある本発明の肘掛け椅子の側面図。
【図４】完全に傾いた位置にあることを除き、図３と同様の図。
【図５】傾動機構が分かる肘掛け椅子の正面図。
【図１】
2005527258.tif 000003
【図２】
2005527258.tif 000004
【図３】
2005527258.tif 000005
【図４】
2005527258.tif 000006
【図５】
2005527258.tif 000007
【国際調査報告】
2005527258.tif 000008
2005527258.tif 000009
2005527258.tif 000010
2005527258.tif 000011